【手続補正書】
【提出日】平成16年9月29日(2004.9.29)
【手続補正１】
【補正対象書類名】明細書
【補正対象項目名】特許請求の範囲
【補正方法】変更
【補正の内容】
【特許請求の範囲】
【請求項１】
円筒形状を有し、その中心軸の周りに回転される感材または版材に対して、当該中心軸に平行な副走査方向に沿って配置された複数の発光素子からなり当該副走査方向に沿って移動される発光素子列が発するマルチビームを照射することにより描画を行う方法であって、
各前記発光素子の破損を検出するステップと、
前記発光素子列において、破損した発光素子で分断されてできる複数の部分的発光素子列のうち、そこに含まれる発光素子の数が最も多いものを有効発光素子列として選択するステップと、
前記感材または版材に対して、前記有効発光素子列として選択された部分的発光素子列が発するマルチビームを照射することにより描画を行うステップとを備える、マルチビーム描画方法。
【請求項２】
前記感材または版材に対して、前記有効発光素子列として選択された部分的発光素子列が発するマルチビームを照射する際、当該部分的発光素子列に含まれる発光素子の数に応じて、前記発光素子列の移動速度を変化させることを特徴とする、請求項１に記載のマルチビーム描画方法。
【請求項３】
前記発光素子列の移動速度は、前記感材または版材が１回転される間に、前記有効発光素子列として選択された部分的発光素子列が前記副走査方向に沿って当該部分的発光素子列が発するマルチビームの像の長さに等しい距離だけ移動するような速度であることを特徴とする、請求項２に記載のマルチビーム描画方法。
【請求項４】
円筒形状を有し、その中心軸の周りに回転される感材または版材に対して、当該中心軸に平行な副走査方向に沿って配置された複数の発光素子からなり当該副走査方向に沿って移動される発光素子列が発するマルチビームを照射することにより描画を行うマルチビーム描画装置であって、
各前記発光素子の破損を検出する手段と、
前記発光素子列において、破損した発光素子で分断されてできる複数の部分的発光素子列のうち、そこに含まれる発光素子の数が最も多いものを選択する選択手段と、
前記感材または版材に対して、前記選択手段によって選択された部分的発光素子列が発するマルチビームを照射することにより描画を行う描画手段とを備える、マルチビーム描画装置。
【請求項５】
円筒形状を有し、その中心軸の周りに回転される感材または版材に対して、当該中心軸に平行な副走査方向に沿って配置された複数の発光素子からなり当該副走査方向に沿って移動される発光素子列が発するマルチビームを照射することにより描画を行うマルチビーム描画装置において実行されるプログラムを記録した記録媒体であって、
各前記発光素子の破損を検出するステップと、
前記発光素子列において、破損した発光素子で分断されてできる複数の部分的発光素子列のうち、そこに含まれる発光素子の数が最も多いものを有効発光素子列として選択するステップと、
前記感材または版材に対して、前記有効発光素子列として選択された部分的発光素子列が発するマルチビームを照射することにより描画を行うステップとを備える動作環境を、前記マルチビーム描画装置上で実現するためのプログラムを記録した、記録媒体。
【請求項６】
円筒形状を有し、その中心軸の周りに回転される感材または版材に対して複数のビームを同時に照射する、列状に配置された複数の発光素子と、
前記複数の発光素子が前記感材または版材を螺旋状に走査するように、前記複数の発光素子を前記中心軸に平行な副走査方向に移動させる副走査手段とを備えたマルチビーム描画装置であって、
各前記発光素子の破損を検出する手段と、
前記発光素子列において、破損した発光素子で分断されてできる複数の部分的発光素子列のうち、そこに含まれる発光素子の数が最も多いものを有効発光素子列として選択する選択手段と、
前記有効発光素子列に含まれる発光素子数をｔとしたときに、主走査方向にｍピクセルのサイズを有する画像の画像データを、主走査方向にｉｎｔ（ｍ／ｔ）ピクセル（但し、ｉｎｔ（ｍ／ｔ）はｍ／ｔを超えない最大の整数）毎に副走査方向とは逆向きに順次１ピクセルずつシフトさせるスパイラル補正部と、
前記有効発光素子列として選択された部分的発光素子列に含まれる発光素子を、前記スパイラル補正部により補正された画像データによって発光させてマルチビームを照射することにより前記感材または版材に対して描画を行う描画手段とを備える、マルチビーム描画装置。
【手続補正２】
【補正対象書類名】明細書
【補正対象項目名】０００１
【補正方法】変更
【補正の内容】
【０００１】
【発明の属する技術分野】
本発明は、マルチビームで描画を行う方法および装置に関し、より特定的には、円筒形状を有し、その中心軸の周りに回転される感材または版材に対して、中心軸に平行な副走査方向に沿って配置された複数の発光素子からなり副走査方向に沿って移動される発光素子列が発するマルチビームを照射することにより描画を行う方法および装置に関する。
【手続補正３】
【補正対象書類名】明細書
【補正対象項目名】０００６
【補正方法】変更
【補正の内容】
【０００６】
【課題を解決するための手段および発明の効果】
第１の発明は、円筒形状を有し、その中心軸の周りに回転される感材または版材に対して、当該中心軸に平行な副走査方向に沿って配置された複数の発光素子からなり当該副走査方向に沿って移動される発光素子列が発するマルチビームを照射することにより描画を行う方法であって、
各発光素子の破損を検出するステップと、
発光素子列において、破損した発光素子で分断されてできる複数の部分的発光素子列のうち、そこに含まれる発光素子の数が最も多いものを有効発光素子列として選択するステップと、
感材または版材に対して、有効発光素子列として選択された部分的発光素子列が発するマルチビームを照射することにより描画を行うステップとを備えている。
【手続補正４】
【補正対象書類名】明細書
【補正対象項目名】００１０
【補正方法】変更
【補正の内容】
【００１０】
第４の発明は、円筒形状を有し、その中心軸の周りに回転される感材または版材に対して、当該中心軸に平行な副走査方向に沿って配置された複数の発光素子からなり当該副走査方向に沿って移動される発光素子列が発するマルチビームを照射することにより描画を行うマルチビーム描画装置であって、
各発光素子の破損を検出する手段と、
発光素子列において、破損した発光素子で分断されてできる複数の部分的発光素子列のうち、そこに含まれる発光素子の数が最も多いものを選択する選択手段と、
感材または版材に対して、選択手段によって選択された部分的発光素子列が発するマルチビームを照射することにより描画を行う描画手段とを備えている。
【手続補正５】
【補正対象書類名】明細書
【補正対象項目名】００１２
【補正方法】変更
【補正の内容】
【００１２】
第５の発明は、円筒形状を有し、その中心軸の周りに回転される感材または版材に対して、当該中心軸に平行な副走査方向に沿って配置された複数の発光素子からなり当該副走査方向に沿って移動される発光素子列が発するマルチビームを照射することにより描画を行うマルチビーム描画装置において実行されるプログラムを記録した記録媒体であって、
各発光素子の破損を検出するステップと、
発光素子列において、破損した発光素子で分断されてできる複数の部分的発光素子列のうち、そこに含まれる発光素子の数が最も多いものを有効発光素子列として選択するステップと、
感材または版材に対して、有効発光素子列として選択された部分的発光素子列が発するマルチビームを照射することにより描画を行うステップとを備える動作環境を、マルチビーム描画装置上で実現するためのプログラムを記録している。
第６の発明は、円筒形状を有し、その中心軸の周りに回転される感材または版材に対して複数のビームを同時に照射する、列状に配置された複数の発光素子と、
複数の発光素子が感材または版材を螺旋状に走査するように、複数の発光素子を中心軸に平行な副走査方向に移動させる副走査手段とを備えたマルチビーム描画装置であって、
各発光素子の破損を検出する手段と、
発光素子列において、破損した発光素子で分断されてできる複数の部分的発光素子列のうち、そこに含まれる発光素子の数が最も多いものを有効発光素子列として選択する選択手段と、
有効発光素子列に含まれる発光素子数をｔとしたときに、主走査方向にｍピクセルのサイズを有する画像の画像データを、主走査方向にｉｎｔ（ｍ／ｔ）ピクセル（但し、ｉｎｔ（ｍ／ｔ）はｍ／ｔを超えない最大の整数）毎に副走査方向とは逆向きに順次１ピクセルずつシフトさせるスパイラル補正部と、
有効発光素子列として選択された部分的発光素子列に含まれる発光素子を、スパイラル補正部により補正された画像データによって発光させてマルチビームを照射することにより感材または版材に対して描画を行う描画手段とを備えている。
【手続補正６】
【補正対象書類名】明細書
【補正対象項目名】００４６
【補正方法】変更
【補正の内容】
【００４６】
スパイラル補正済みのチャンネルパラレルデータは、ＬＤチャンネルドライバ２５へと与えられる。ＬＤチャンネルドライバ２５は、与えられたデータに応じて、破損した第２ＬＤと放棄された第１ＬＤとを除く８個のＬＤ１２ａで構成される有効ＬＤ列、すなわち第３〜第１０ＬＤ１２ａを駆動する。第３〜第１０ＬＤ１２ａから発せられたビームは、レンズ１２ｂによって収束され、版材駆動用モータ１１によって駆動されて一定速度で回転する版材１０上において結像する。一方、マルチチャンネル光学ヘッド１２は、上記のようにして初期設定された光学ヘッド駆動用モータ１３によって駆動され、８チャンネルによるスパイラル描画に適した速度で副走査方向Ｘに沿って移動していく。それにより、感材上には２次元画像が描かれていく。